【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
複数枚のシートからなるシート束に凹凸を形成することでシート束を綴じるシート処理装置であって、
外周部に凹凸部を有し、シート束を挟持して回転することによってシート束に凹凸を形成する一対の回転部材と、
前記一対の回転部材のうち少なくとも一方をシート束の厚さ方向に移動させるための移動手段と、
前記一対の回転部材の一方の凹部と他方の凸部が互いに噛み合うようにシート束を挟持、又は挟持解除させるよう前記移動手段を制御する制御手段と、
を有することを特徴とするシート処理装置。
【請求項２】
前記一対の回転部材は、それぞれ、第１の凹凸部と、前記第１の凹凸部の凹部と凸部の間の高低差よりも凹部と凸部の間の高低差が大きい第２の凹凸部を有し、シート束の厚さが所定の厚さ以下の場合は前記第１の凹凸部同士を噛み合わせてシート束を綴じ、シート束の厚さが所定の厚さよりも厚い場合は前記第２の凹凸部同士を噛み合わせてシート束を綴じることを特徴とする請求項１に記載のシート処理装置。
【請求項３】
前記制御手段は、設定されたシート束上の綴じ領域の位置、及び大きさに応じて、前記一対の回転部材の回転中に前記一対の回転部材をシート束の厚さ方向に移動させてシート束の挟持又は挟持解除を行うよう前記移動手段を制御することを特徴とする請求項１又は請求項２に記載のシート処理装置。
【請求項４】
前記制御手段は、設定されたシート束上の綴じ領域の位置、大きさ、及び数に応じて、前記一対の回転部材の回転中に前記一対の回転部材をシート束の厚さ方向に移動させてシート束の挟持又は挟持解除を行うよう前記移動手段を制御することを特徴とする請求項１又は請求項２に記載のシート処理装置。
【請求項５】
前記一対の回転部材は、シート束の一端部に沿って移動可能な支持部材に、回転可能に支持されている請求項１乃至請求項４のいずれか１項に記載のシート処理装置。
【請求項６】
複数枚のシートからなるシート束に凹凸を形成することでシート束を綴じるシート処理装置であって、
外周部に凹凸部を有する回転部材と、
前記回転部材の凹凸部と噛み合う凹凸部を有し、前記回転部材の回転移動をガイドするガイド部材と、
前記回転部材と前記ガイド部材のうち少なくとも一方をシート束の厚さ方向に移動させるための移動手段と、
前記回転部材の凹部と前記ガイド部材の凸部が互いに噛み合うようにシート束を挟持、又は挟持解除させるよう前記移動手段を制御する制御手段と、
を有することを特徴とするシート処理装置。
【請求項７】
前記回転部材及び前記ガイド部材は、それぞれ、第１の凹凸部と、前記第１の凹凸部の凹部と凸部の間の高低差よりも凹部と凸部の間の高低差が大きい第２の凹凸部を有し、シート束の厚さが所定の厚さ以下の場合は前記第１の凹凸部同士を噛み合わせてシート束を綴じ、シート束の厚さが所定の厚さよりも厚い場合は前記第２の凹凸部同士を噛み合わせてシート束を綴じることを特徴とする請求項６に記載のシート処理装置。
【請求項８】
前記制御手段は、設定されたシート束上の綴じ領域の位置、及び大きさに応じて、前記回転部材の回転中に前記回転部材と前記ガイド部材のうち少なくとも一方をシート束の厚さ方向に移動させてシート束の挟持又は挟持解除を行うよう前記移動手段を制御することを特徴とする請求項６又は請求項７に記載のシート処理装置。
【請求項９】
前記制御手段は、設定されたシート束上の綴じ領域の位置、大きさ、及び数に応じて、前記回転部材の回転中に前記回転部材と前記ガイド部材のうち少なくとも一方をシート束の厚さ方向に移動させてシート束の挟持又は挟持解除を行うよう前記移動手段を制御することを特徴とする請求項６又は請求項７に記載のシート処理装置。
【請求項１０】
前記回転部材は、シート束の一端部に沿って移動可能な支持部材に、回転可能に支持されていることを特徴とする請求項６乃至請求項９のいずれか１項に記載のシート処理装置。
【請求項１１】
シートに画像を形成する画像形成部と、画像が形成された複数枚のシートからなるシート束に凹凸を形成することでシート束を綴じる請求項１乃至請求項１０のいずれか１項に記載のシート処理装置と、を有することを特徴とする画像形成装置。
【手続補正２】
【補正対象書類名】明細書
【補正対象項目名】００１１
【補正方法】変更
【補正の内容】
【００１１】
上記目的を達成するため、本発明は、複数枚のシートからなるシート束に凹凸を形成することでシート束を綴じるシート処理装置であって、外周部に凹凸部を有し、シート束を挟持して回転することによってシート束に凹凸を形成する一対の回転部材と、前記一対の回転部材のうち少なくとも一方をシート束の厚さ方向に移動させるための移動手段と、前記一対の回転部材の一方の凹部と他方の凸部が互いに噛み合うようにシート束を挟持、又は挟持解除させるよう前記移動手段を制御する制御手段と、を有することを特徴とする。
【手続補正３】
【補正対象書類名】明細書
【補正対象項目名】００１２
【補正方法】変更
【補正の内容】
【００１２】
また上記目的を達成するため、本発明は、複数枚のシートからなるシート束に凹凸を形成することでシート束を綴じるシート処理装置であって、外周部に凹凸部を有する回転部材と、前記回転部材の凹凸部と噛み合う凹凸部を有し、前記回転部材の回転移動をガイドする平板状のガイド部材と、前記回転部材と前記ガイド部材のうち少なくとも一方をシート束の厚さ方向に移動させるための移動手段と、前記回転部材の凹部と前記ガイド部材の凸部が互いに噛み合うようにシート束を挟持、又は挟持解除させるよう前記移動手段を制御する制御手段と、を有することを特徴とする。
【手続補正４】
【補正対象書類名】明細書
【補正対象項目名】００３２
【補正方法】変更
【補正の内容】
【００３２】
また、外周部に凹凸部１ａ，２ａを有する回転部材１，２でシート束を挟持し、その回転部材１，２を回転させることでシート束を綴じるため、シート束に凹凸を形成する綴じ領域を容易に任意の大きさにすることができる。具体的には、回転制御用モータ５に指示する回転角度を変更することで、前記凹凸エンボス形状Ｓａをシート束の端部全域に作成し、シート束をブック状に綴じることができる。更に、シート束移動中に間隔制御用モータ４を回転させて回転部材１を上下動させてシート束の挟持及び挟持解除を行うことにより、図４（ａ）に示すようにシート束の角部のみを綴じたり、図４（ｂ）に示すように間隔を空けて部分的に綴じることもできる。これにより、シート束を構成するシートの枚数やシートの厚さ等に応じて最適な綴じ合わせが可能となる。
【手続補正５】
【補正対象書類名】明細書
【補正対象項目名】００３３
【補正方法】変更
【補正の内容】
【００３３】
さらに、シート束を移動しながら綴じ処理を実施することができるため、綴じ処理を実施するときにシート束を一時停止させることによる、生産性の低下を防止することができる。更に、一対の回転部材でシート束の綴じ領域を任意の大きさにすることができるため、装置の小型化も可能である。このように、生産性の低下を抑制し、且つ装置の小型化を可能にしつつ、シート束の綴じ領域を任意の大きさにすることができ、なおかつ回転部材の回転方向においてシート束に対する綴じ位置を任意の位置にすることもできる。よって、シート束を構成するシートの枚数やシートの厚さ等に応じて最適な綴じ合わせが可能となる。
【手続補正６】
【補正対象書類名】明細書
【補正対象項目名】００４７
【補正方法】変更
【補正の内容】
【００４７】
〔第３実施形態〕
図１５〜図１８、及び図１２，図１３を用いて、第３実施形態に係るシート処理装置について説明する。図１５及び図１６に示すように、シート処理装置２００は、外周部に凹部と凸部の連続で構成された凹凸部４１ａ，４１ｂを有する回転部材４１と、前記凹凸部４１ａ，４１ｂと噛み合う凹凸部４２ａ，４２ｂを有するガイド部材４２を備えている。この回転部材４１とガイド部材４２は、互いの凹凸部４１ａ，４２ａ又は凹凸部４１ｂ，４２ｂが、回転部材４１の凹部とガイド部材４２の凸部が噛み合うようにシート束を挟持、又は挟持解除しつつ回転部材４１が回転してシート束に凹凸を形成する。これによりシート同士を接合し、シート束を綴じる。本実施形態においては回転部材４１のガイド部材４２上の移動によってシート束に凹凸が形成される。